(57)【要約】【課題】  高コストで電磁波対策を要する電磁波発生器を用いないでＩＣタグユニットに電力を供給し、該ＩＣタグユニットを有する商品の識別を行う商品識別装置を提供する。【解決手段】  ＩＣタグユニットは、固有の識別情報を格納するＩＣ部と、Ｓ極とＮ極とが所定の間隔で離間した磁界に対する相対運動によって電磁誘導による第１誘導電流を発生する第１コイルと、前記第１コイルで発生した前記第１誘導電流を整流する第１整流器と、前記第１整流器で整流された第１整流電流から所定の電圧を生成して前記ＩＣ部に印加するレギュレータとを備える。【選択図】      図２
2005327440.tif 000002
【特許請求の範囲】
【請求項１】
固有の識別情報を格納するＩＣ部と、
Ｓ極とＮ極とが所定の間隔で離間した磁界に対する相対運動によって電磁誘導による第１誘導電流を発生する第１コイルと、
前記第１誘導電流を整流して第１整流電流とする第１整流器と、
前記第１整流電流から所定の電圧を生成して前記ＩＣ部に印加するレギュレータと
を備えることを特徴とするＩＣタグユニット。
【請求項２】
前記第１コイルは、間隔ｄ（ｍｍ）でＳ極とＮ極とが離間している磁界に対して（１０５×ｄ）（ｍｍ／ｓ）以下の速度で相対運動させることによって周波数１００ｋＨｚ以下の第１誘導電流を発生することを特徴とする請求項１に記載のＩＣタグユニット。
【請求項３】
前記第１コイルは、前記ＩＣ部に格納された前記識別情報に基づく信号を発信するアンテナとして機能することを特徴とする請求項１に記載のＩＣタグユニット。
【請求項４】
前記ＩＣ部は、所定の電圧の印加を受けることによって、前記第１コイルをアンテナとして前記ＩＣ部内に格納している識別情報に基づく信号を１０ＭＨｚ以上の周波数で発信することを特徴とする請求項３に記載のＩＣタグユニット。
【請求項５】
前記第１コイルに対して互いの面積中心を離間させて配置され、前記磁界に対する相対運動によって電磁誘導による第２誘導電流を発生する第２コイルと、
前記第２誘導電流を整流して第２整流電流とする第２整流器と
を備え、
前記レギュレータは、前記第１整流電流と前記第２整流電流とを合算した電流から所定の電圧を生成し、前記ＩＣ部に供給することを特徴とする請求項１から４のいずれか一項に記載のＩＣタグユニット。
【請求項６】
前記第２コイルは、間隔ｄ（ｍｍ）でＳ極とＮ極とが離間している磁界に対して（１０５×ｄ）（ｍｍ／ｓ）以下の速度で相対運動させることによって周波数１００ｋＨｚ以下の第２誘導電流を発生することを特徴とする請求項５に記載のＩＣタグユニット。
【請求項７】
前記第１コイルで発生した第１誘導電流と前記第２コイルで発生した第２誘導電流との相互の位相差は、整数ｎについて、（１８０°×ｎ＋４５°）〜（１８０°×ｎ＋１３５°）の範囲にあることを特徴とする請求項５に記載のＩＣタグユニット。
【請求項８】
前記第１コイルで発生した第１誘導電流と前記第２コイルで発生した第２誘導電流との相互の位相差は、整数ｎについて、実質的に（１８０°×ｎ＋９０°）であることを特徴とした請求項５に記載のＩＣタグユニット。
【請求項９】
前記第１コイルと前記第２コイルとは、互いの面積中心の離間間隔Ｔ（ｍｍ）が、前記磁界のＳ極とＮ極の間隔ｄ（ｍｍ）と整数ｎとについて、
（ｎ＋１／６）×ｄ≦Ｔ≦（ｎ＋５／６）×ｄ
の関係式を満たすように配置したことを特徴とする請求項５に記載のＩＣタグユニット。
【請求項１０】
前記第１コイルと前記第２コイルとは、互いの面積中心の離間間隔Ｔ（ｍｍ）が、前記磁界のＳ極とＮ極の間隔ｄ（ｍｍ）と整数ｎとについて、
（ｎ＋１／４）×ｄ≦Ｔ≦（ｎ＋３／４）×ｄ
の関係式を満たすように配置したことを特徴とする請求項５に記載のＩＣタグユニット。
【請求項１１】
前記第１コイルと前記第２コイルとは、互いの面積中心の離間間隔Ｔ（ｍｍ）が、前記磁界のＳ極とＮ極の間隔ｄ（ｍｍ）と整数ｎとについて、
（ｎ＋１／３）×ｄ≦Ｔ≦（ｎ＋２／３）×ｄ
の関係式を満たすように配置したことを特徴とする請求項５に記載のＩＣタグユニット。
【請求項１２】
前記レギュレータは、直列接続された複数のダイオードを含むことを特徴とする請求項１から１１のいずれか一項に記載のＩＣタグユニット。
【請求項１３】
請求項１から１２のいずれか一項に記載のＩＣタグユニットを有することを特徴とする光ディスク。
【請求項１４】
ＩＣタグユニットを有する商品を回転させるスピンドルモータと、
前記商品の回転面の近傍の円周方向にＳ極とＮ極が交互に配置された静磁界発生手段と
を備えることを特徴とする商品識別装置。
【請求項１５】
前記静磁界発生手段は、少なくとも一対のＳ極及びＮ極を有する磁石を含むことを特徴とする請求項１４に記載の商品識別装置。
【請求項１６】
前記静磁界発生手段は、Ｓ極とＮ極が回転面上の円周方向に交互に配置された複数の磁石を含むことを特徴とする請求項１４に記載の商品識別装置。
【請求項１７】
ＩＣ部と、第１コイルと、第２コイルとを備えたＩＣタグユニットを有する商品を識別する商品識別装置であって、
前記静磁界発生手段は、Ｓ極とＮ極との間隔ｄ（ｍｍ）が、前記ＩＣタグユニットの前記第１コイルと前記第２コイルの面積中心の離間間隔Ｔ（ｍｍ）と整数ｎとについて、
Ｔ／（ｎ＋５／６）≦ｄ≦Ｔ／（ｎ＋１／６）
の関係式を満たすことを特徴とする請求項１４から１６のいずれか一項に記載の商品識別装置。
【請求項１８】
ＩＣ部と、第１コイルと、第２コイルとを備えたＩＣタグユニットを有する商品を識別する商品識別装置であって、
前記静磁界発生手段は、Ｓ極とＮ極との間隔ｄ（ｍｍ）が、前記ＩＣタグユニットの前記第１コイルと前記第２コイルの面積中心の離間間隔Ｔ（ｍｍ）と整数ｎとについて、
Ｔ／（ｎ＋３／４）≦ｄ≦Ｔ／（ｎ＋１／４）
の関係式を満たすことを特徴とする請求項１４から１６のいずれか一項に記載の商品識別装置。
【請求項１９】
ＩＣ部と、第１コイルと、第２コイルとを備えたＩＣタグユニットを有する商品を識別する商品識別装置であって、
前記静磁界発生手段は、Ｓ極とＮ極との間隔ｄ（ｍｍ）が、前記ＩＣタグユニットの前記第１コイルと前記第２コイルの面積中心の離間間隔Ｔ（ｍｍ）と整数ｎとについて、
Ｔ／（ｎ＋２／３）≦ｄ≦Ｔ／（ｎ＋１／３）
の関係式を満たすことを特徴とする請求項１４から１６のいずれか一項に記載の商品識別装置。
【請求項２０】
前記ＩＣタグユニットから発信される無線信号を受信する受信手段を備えることを特徴とする請求項１４から１９のいずれか一項に記載の商品識別装置。
【請求項２１】
前記スピンドルモータは、前記磁界のＳ極とＮ極が配置された回転中心からの半径ｒ（ｍｍ）と、前記Ｓ極と前記Ｎ極との間隔ｄ（ｍｍ）について、（（１０５×ｄ）／（２πｒ））回／秒以下の回転数で回転することを特徴とする請求項１４から２０のいずれか一項に記載の商品識別装置。
【請求項２２】
前記商品は、光ディスクであって、請求項１４から２１のいずれか一項に記載の商品識別装置を備えたことを特徴とする光ディスク装置。
【請求項２３】
個別の識別情報を格納するＩＣ部と、電磁誘導によって前記ＩＣ部に電力を供給する電力供給手段とを備えたＩＣタグユニットを有する商品の識別方法であって、
間隔ｄ（ｍｍ）でＳ極とＮ極とが離間している磁界に対して前記商品を（１０５×ｄ）（ｍｍ／ｓ）以下の速度で相対運動させて、前記ＩＣタグユニットの前記電力供給手段に電磁誘導によって電力を生じさせ、前記ＩＣ部から前記識別情報を発信させるステップと、
前記識別情報を受信するステップと
を含むことを特徴とする商品の識別方法。
【請求項２４】
個別の識別情報を格納するＩＣ部と、電磁誘導によって前記ＩＣ部に電力を供給する電力供給手段として機能する互いの面積中心を離間させて配置した第１及び第２コイルとを備えたＩＣタグユニットを有する商品の識別方法であって、
Ｓ極とＮ極とが離間している磁界に対して前記商品を相対運動させて、前記第１及び第２コイルに互いに位相がずれた第１及び第２誘導電流を発生させるステップと、
前記第１及び第２誘導電流が整流され、合算され、合算電流から生成された所定の電圧が前記ＩＣ部に印加され、前記ＩＣ部から前記識別情報を発信させるステップと、
前記識別情報を受信するステップと
を含むことを特徴とする商品の識別方法。
【請求項２５】
頒布された光ディスクを個別に識別する識別情報に応じて、前記光ディスクを駆動する光ディスク装置で、前記光ディスクに記録されたデジタルコンテンツを管理する方法であって、
光ディスクに貼付されたＩＣタグユニットから前記識別情報を取得するステップと、
前記識別情報を、前記デジタルコンテンツを管理するサーバに送るステップと、
前記サーバで前記識別情報により前記光ディスクが真正品であると判断された場合に、前記サーバから送られる前記デジタルコンテンツを復号する暗号鍵を受け取るステップと、
前記光ディスクに記録されたデジタルコンテンツを、前記暗号鍵を用いて復号するステップと
を含むことを特徴とするデジタルコンテンツ管理方法。
【請求項２６】
頒布された光ディスクを個別に識別する識別情報に応じて、前記光ディスクを駆動する光ディスク装置で、前記光ディスクに記録されたデジタルコンテンツを管理する方法であって、
光ディスクから前記識別情報を取得するステップと、
前記識別情報を、前記デジタルコンテンツを管理するサーバに送るステップと、
前記光ディスクに記録されたデジタルコンテンツの欠損部分に関するアドレス情報を検出するステップと、
前記デジタルコンテンツの欠損部分に関する前記アドレス情報を前記サーバに送るステップと、
前記サーバで前記識別情報により前記光ディスクが真正品であると判断された場合に、前記サーバから送られる前記欠損部分を補填する補填情報を受け取るステップと、
前記光ディスクに記録された前記デジタルコンテンツの前記欠損部分を前記補填情報によって補填するステップと
を含むことを特徴とするデジタルコンテンツ管理方法。
【請求項２７】
前記ＩＣタグユニットは、
固有の識別情報を格納するＩＣ部と、
Ｓ極とＮ極とが所定の間隔で離間した磁界に対する相対運動によって電磁誘導による第１誘導電流を発生する第１コイルと、
前記第１コイルで発生した前記第１誘導電流を整流する第１整流器と、
前記第１整流器で整流された第１整流電流から所定の電圧を生成して前記ＩＣ部に印加するレギュレータと
を備え、
前記ＩＣタグユニットから前記識別情報を取得するステップは、
磁界に対して前記光ディスクを相対運動させて、前記ＩＣタグユニットの前記第１コイルに電磁誘導によって第１誘導電流を発生させ、所定の電圧を前記ＩＣ部に印加して、前記ＩＣ部から前記識別情報を発信させるステップと、
前記識別情報を受信するステップと
を含むことを特徴とする請求項２５又は２６に記載のデジタルコンテンツ管理方法。
【発明の詳細な説明】
【技術分野】
【０００１】
本発明は、ＩＣタグユニットを用いた商品識別システム、特に、ＩＣタグユニットを貼付した光ディスクの識別システムに関する。また、該ＩＣタグユニットを用いて光ディスクに記録されたデジタルコンテンツを管理するデジタルコンテンツ管理方法に関する。
【背景技術】
【０００２】
従来、ＲＦタグもしくはＩＣタグと称される微小な電気回路ユニットを商品等に付し、これら商品をオンラインで管理する技術が提案されているが、近年、ＩＣタグの低価格化により応用の裾野が広がり、その需要は急速に広まっている。このＩＣタグにはループ状のアンテナが備えられており、このアンテナからＩＣ回路の動作に必要な電力が供給される（例えば、特許文献１参照。）。ＩＣタグへの一般的な電力の供給方法としては、このアンテナに対して外部から強力な電磁波を照射することによって電磁誘導による実行される（例えば、特許文献２参照。）。ＩＣ回路の動作に必要な直流電圧は、このアンテナから出力される交流電流を整流および平滑化することにより得られる（例えば、特許文献３参照。）。
【０００３】
ＩＣタグは主として、それが付加される商品の識別に利用されることが多く、ＩＣタグ内部にはその識別に係る情報（ＩＤ情報）が格納されたＲＯＭが設けられている。ＩＣタグに一旦電力が供給されるとそのＩＤ情報が読み出され、そのＩＤ情報はさらにＩＣタグ内部に設けられた変調および送信回路を経て、前記アンテナから送信される。また、変調方法としては、ＰＳＫ（フェーズシフトキーング）を使っているものがある（例えば、特許文献４参照。）。
【０００４】
さらに、このＩＣタグの利用技術として個々の光ディスクの識別と管理に応用したものがある（例えば、特許文献５及び６参照。）。つまり、有料コンテンツを光ディスクにダウンロードする場合、当ＩＤ情報を暗号鍵として暗号化することができ、他の光ディスクへの再度のコピー（いわゆる孫コピー）を防止することができる。
【０００５】
【特許文献１】特開平１１−５９０４０号公報
【特許文献２】特開平１０−２４２８９３号公報
【特許文献３】特開平１１−２１５０２６号公報
【特許文献４】特開２０００−３３２８４２号公報
【特許文献５】特開２００２−１６３６１３号公報
【特許文献６】特開２００３−３１７０４８号公報
【発明の開示】
【発明が解決しようとする課題】
【０００６】
しかし、実際にＩＣタグを使って光ディスクの個別管理を実現する場合には、その実施コストが大きな問題となる。すなわち、ＩＣタグ自体は低価格化が進んでいるが、それに電力を供給するためには強力な電磁波を発生させる、高コストであると共にある程度の大きさを有する「装置」が必要である。一方、光ディスクドライブの代表格であるＣＤ−ＲＯＭドライブあるいはＤＶＤ−ＲＯＭドライブは、低価格化が進んでおり、上記のような「装置」を付けることは光ディスクドライブの市場から見て、全く非現実的であるといえる。また、価格の問題だけではなく、強力な電磁波を発生させるためにその電磁波をシールドするための構造的配慮も必要となる。ところが、近年、ＤＶＤドライブは、ノートパソコンにも搭載されるほど小型化が進んできており、これ以上構造を大型化するのは現実的でない。また、記録機能を有したＤＶＤドライブ（例えば、ＤＶＤ−ＲＡＭドライブ）は、ＴＶ番組を録画するためのレコーダとして使用されることが多く、上記電磁波がＴＶ放送の受信に影響を与えることが考えられる。
【０００７】
本発明の目的は、高コストであって電磁波対策を要する電磁波発生器を用いないでＩＣタグユニットに電力を供給し、該ＩＣタグユニットを有する商品の識別を行う商品識別装置を提供することである。
【課題を解決するための手段】
【０００８】
本発明に係るＩＣタグユニットは、固有の識別情報を格納するＩＣ部と、
Ｓ極とＮ極とが所定の間隔で離間した磁界に対する相対運動によって電磁誘導による第１誘導電流を発生する第１コイルと、
前記第１誘導電流を整流して第１整流電流とする第１整流器と、
前記第１整流電流から所定の電圧を生成して前記ＩＣ部に印加するレギュレータと
を備えることを特徴とする。
【０００９】
前記第１コイルは、間隔ｄ（ｍｍ）でＳ極とＮ極とが離間している磁界に対して（１０５×ｄ）（ｍｍ／ｓ）以下の速度で相対運動させることが好ましい。これによって周波数１００ｋＨｚ以下の第１誘導電流を発生することができる。
【００１０】
また、前記第１コイルに対して互いの面積中心を離間させて配置され、前記磁界に対する相対運動によって電磁誘導による第２誘導電流を発生する第２コイルと、
前記第２誘導電流を整流して第２整流電流とする第２整流器と
をさらに備えることが好ましい。この場合、前記レギュレータは、前記第１整流電流と前記第２整流電流とを合算した電流から所定の電圧を生成し、前記ＩＣ部に供給する。
【００１１】
さらに、本発明に係る商品識別装置は、ＩＣタグユニットを有する商品を回転させるスピンドルモータと、
前記商品の回転面の近傍の円周方向にＳ極とＮ極が交互に配置された静磁界発生手段と
を備えることを特徴とする。
【００１２】
本発明に係る商品の識別方法は、個別の識別情報を格納するＩＣ部と、電磁誘導によって前記ＩＣ部に電力を供給する電力供給手段とを備えたＩＣタグユニットを有する商品の識別方法であって、
間隔ｄ（ｍｍ）でＳ極とＮ極とが離間している磁界に対して前記商品を（１０５×ｄ）（ｍｍ／ｓ）以下の速度で相対運動させて、前記ＩＣタグユニットの前記電力供給手段に電磁誘導によって電力を生じさせ、前記ＩＣ部から前記識別情報を発信させるステップと、
前記識別情報を受信するステップと
を含むことを特徴とする。
【００１３】
本発明に係るデジタルコンテンツ管理方法は、頒布された光ディスクを個別に識別する識別情報に応じて、前記光ディスクを駆動する光ディスク装置で、前記光ディスクに記録されたデジタルコンテンツを管理する方法であって、
光ディスクに貼付されたＩＣタグユニットから前記識別情報を取得するステップと、
前記識別情報を、前記デジタルコンテンツを管理するサーバに送るステップと、
前記サーバで前記識別情報により前記光ディスクが真正品であると判断された場合に、前記サーバから送られる前記デジタルコンテンツを復号する暗号鍵を受け取るステップと、
前記光ディスクに記録されたデジタルコンテンツを、前記暗号鍵を用いて復号するステップと
を含むことを特徴とする。
【００１４】
本発明に係るデジタルコンテンツ管理システムは、頒布された光ディスクを個別に識別する識別情報に応じて、前記光ディスクを駆動する光ディスク装置で、前記光ディスクに記録されたデジタルコンテンツを管理する方法であって、
光ディスクから前記識別情報を取得するステップと、
前記識別情報を、前記デジタルコンテンツを管理するサーバに送るステップと、
前記光ディスクに記録されたデジタルコンテンツの欠損部分に関するアドレス情報を検出するステップと、
前記デジタルコンテンツの欠損部分に関する前記アドレス情報を前記サーバに送るステップと、
前記サーバで前記識別情報により前記光ディスクが真正品であると判断された場合に、前記サーバから送られる前記欠損部分を補填する補填情報を受け取るステップと、
前記光ディスクに記録された前記デジタルコンテンツの前記欠損部分を前記補填情報によって補填するステップと
を含むことを特徴とする。
【発明の効果】
【００１５】
本発明に係るＩＣタグユニットを用いた商品識別装置及び商品識別方法によれば、静磁界に対する相対運動による電磁誘導で誘導電流を発生させてＩＣタグユニットに電力を供給している。そのため、安価であって、電磁波対策を必要としないため、小型化できると共に、他の機器に電磁波障害等を起こすおそれがない。
【００１６】
また、本発明に係るＩＣタグユニットにおいて、互いの面積中心を離間させて配置した２つのコイルを設けることによって、磁界に対して相対運動させてそれぞれのコイルで発生するそれぞれの誘導電流の位相をずらせることができる。そのため、それぞれのコイルで発生した誘導電流を整流し、合成した場合に、電流波形を良好に平滑化できるので、安定してＩＣ部を駆動できる。
【００１７】
さらに、本発明に係るデジタルコンテンツ管理方法では、光ディスクに貼付されたＩＣタグユニットから識別情報を取得し、その識別情報を、デジタルコンテンツを管理するサーバに送付し、サーバから暗号鍵を受け取り、デジタルコンテンツを復号する。これによって、各光ディスクを個別に識別でき、デジタルコンテンツを安全に管理できる。
【００１８】
また、本発明に係るデジタルコンテンツ管理方法では、光ディスクに貼付されたＩＣタグユニットから識別情報を取得し、その識別情報を、デジタルコンテンツを管理するサーバに送付し、光ディスクに記録されたデジタルコンテンツの欠損部分に関するアドレス情報を検出し、そのアドレス情報をサーバに送付し、サーバから欠損部分を補填する補填情報を受け取って、デジタルコンテンツの欠損部分を補填情報によって補填する。これによって、光ディスクが破損した場合にもデジタルコンテンツの欠損部分を補填できるという従来にないデジタルコンテンツ管理サービスを実現することができる。
【発明を実施するための最良の形態】
【００１９】
本発明の実施の形態について、添付図面を参照しながら説明する。なお、図面において、実質的に同一の部材には同一の符号を付している。
【００２０】
（実施の形態１）
図１は、本発明の実施の形態１に係る光ディスク装置２０の構成を示す斜視概略図である。この光ディスク装置２０は、光ディスク３を回転させるスピンドルモータ２と、該光ディスク３をスピンドルモータ２との間に挟んで押さえるクランパ１１と、光ディスク３にレーザ光を照射する光ヘッド９と、該光ディスク３の回転面の近傍であって、その回転面の円周方向に沿ってＳ極とＮ極とが交互に配列されるように複数の永久磁石６を配置した天板５とを備える。光ヘッド９は、光ディスク３の半径方向に移動可能なように基板１の上に設けられている。また、スピンドルモータ２は、基板１上に固定されている。天板５は、支持部材８を介して、基板１に対して位置決め可能なように設置されている。例えば、光ディスク３の脱着を行う際には、天板５が上下に移動し、光ディスク３の装着後には、クランパ１１とスピンドルモータ２で光ディスク３を挟み込む位置に天板５が固定される。さらに、無線伝送される識別情報を、センサアンテナ７を介して受信する受信回路１２が天板５の上に設けられている。一方、光ディスク３は、光ヘッド９からのレーザ光が照射される面とは反対側の面にＩＣ部とコイル等の電力供給部とから構成されるＩＣタグユニット４が貼付されている。
【００２１】
この光ディスク装置２０では、光ディスク３を回転させることによって、ＩＣタグユニット４は、天板５上に円弧状に設けられた磁石６によって形成された静磁界の中を横切る。このとき、ＩＣタグユニット４内の電力供給部であるコイルに電磁誘導によって誘導電流が生じ、ＩＣ部に電力が供給され、ＩＣ部から識別情報が読み出され、該コイルをアンテナとして識別情報が発信される。光ディスク装置２０では、この無線伝送された識別情報を、センサアンテナ７を介して受信回路１２で受信し、光ディスクを個別に識別する。
【００２２】
図６は、ＩＣタグユニット４を貼付した商品の識別方法のフローチャートである。ここでは、商品が光ディスク３である場合について説明する。
（ａ）Ｓ極とＮ極とが離間している磁界に対して、ＩＣタグユニット４を有する光ディスク３を相対運動させる（Ｓ０１）。具体的には、図１の光ディスク装置２０のように光ディスクを回転させる。このように回転させることによって、磁界に対して相対運動させるために必要な空間を光ディスク３自体の占める最小限の空間だけに抑えることができるので省スペースを実現できる。
（ｂ）ＩＣタグユニット４の電力供給手段であるコイルに電磁誘導によって電力を生じさせ、ＩＣ部から識別情報を発信させる（Ｓ０２）。
（ｃ）光ディスク装置２０のセンサアンテナ７を介して受信回路１２で識別情報を受信する（Ｓ０３）。
【００２３】
図７は、面積中心を互いに離間させて配置した２つのコイルを有するＩＣタグユニット４を貼付した商品の識別方法のフローチャートである。ここでは、商品が光ディスク３である場合について説明する。
（ａ）Ｓ極とＮ極とが離間している磁界に対して、ＩＣタグユニット４を有する光ディスクを相対運動させる（Ｓ１１）。
（ｂ）ＩＣタグユニットの第１コイル４１と第２コイル４２に電磁誘導によって互いに位相がずれた第１及び第２誘導電流を発生させる（Ｓ１２）。後述するように、２つのコイルの面積中心を互いに所定間隔だけ離間させておくことによってそれぞれの誘導電流の位相をずらすことができる。
（ｃ）第１及び第２誘導電流をそれぞれ整流し、合算する（Ｓ１３）。上述のように、それぞれの誘導電流の位相をずらせておくことで、整流し、合算した際に合算電流の波形を良好に平滑化することができる。
（ｄ）合算した電流から所定の電圧を生成し、ＩＣ部４０に印加する（Ｓ１４）。良好に平滑化された電流によって生成した電圧をＩＣ部に印加することで、ＩＣ部を安定に駆動することができる。
（ｅ）ＩＣ部４０から識別情報を発信させる（Ｓ１５）。
（ｆ）光ディスク装置２０のセンサアンテナ７を介して受信回路１２で識別情報を受信する（Ｓ１６）。
【００２４】
以下に、ＩＣタグユニット４を貼付した光ディスク３の識別方法について説明する。図２は、ＩＣタグユニット４の構成と、ＩＣタグユニット４と磁石６との位置関係を示す概略図である。ＩＣタグユニット４は、コントローラ４７、メモリ４８、送信回路４９で構成されるＩＣ部４０と、第１コイル４１、第２コイル４２、整流器４３、４４、レギュレータ４６で構成される電力供給部５０とからなる。ＩＣ部４０では、メモリ４８に固有の識別情報を記憶しており、電力供給部５０から所定の電力が供給されると、コントローラ４７によってメモリ４８から識別情報を読み出し、送信回路４９から第２コイル４２をアンテナとして用いて該識別情報を発信する。電力供給部５０では、静磁界中を相対運動することによって第１及び第２コイル４１、４２に電磁誘導で第１及び第２誘導電流が発生し、整流器４３、４４でそれぞれ整流され、合算され、レギュレータ４６で所定の電圧が生成され、ＩＣ部に印加される。なお、ＩＣ部４０と、コイル（アンテナ）を含む電力供給部５０との組合せは、ＩＣタグユニットと呼ぶ以外に「ＩＣタグ」、「ＲＦタグ」、「無線タグ」という場合がある。
【００２５】
図３は、第１及び第２コイル４１、４２と磁石６との位置関係を示す概略図である。この２つのコイル４１、４２は、それぞれの面積中心を互いに離間させて配置されている。２つのコイル４１、４２は、天板５上の磁石６と対向するように設けられ、光ディスク３の回転に伴い、磁石６が発生する磁界と順次交差しながら移動する。このとき、第１及び第２コイル４１、４２には電磁誘導でそれぞれ第１及び第２誘導電流Ｉ１、Ｉ２が発生する。
【００２６】
図４は、図２のＩＣタグユニット４の電力供給部５０の回路構成を示す回路図である。整流器４３、４４は、それぞれ４つのダイオードによって構成されている。また、レギュレータ４６は、直列接続された複数のダイオードで構成されており、一端が接地されている。なお、この回路図では、第２コイル４２をアンテナとして用いる箇所については省略している。
【００２７】
以下に、第１及び第２誘導電流Ｉ１、Ｉ２が整流され、合算され、所定電圧に変換されて負荷（Ｚ）であるＩＣ部４０に電力として供給されるまでの具体的構成を示す。
まず、第１及び第２コイルに電磁誘導で発生する第１及び第２誘導電流Ｉ１、Ｉ２は、それぞれ、
Ｉ１＝ｓｉｎ（２πｆｔ）
Ｉ２＝ｓｉｎ（２πｆｔ＋τ）
と表される。ここで、ｆは、誘導電流の周波数である。この周波数ｆは、光ディスク３に付加されたＩＣタグユニット４が静磁界を横断する相対速度Ｖ（ｍｍ／ｓ）と、静磁界を形成する磁石６を構成する磁石片（Ｎ極とＳ極のペア）の長さｄ（ｍｍ）とによって、
ｆ＝Ｖ／ｄ
で求められる。一例として、Ｖ＝１０ｍ／ｓ、ｄ＝２．５ｍｍとすると、
ｆ＝４ｋＨｚ
となる。また、τは、第１誘導電流と第２誘導電流との位相差である。
それぞれの誘導電流は、整流器４３、４４によって全波整流され、直流成分｜Ｉ１｜を有する第１整流電流と、直流成分｜Ｉ２｜を有する第２整流電流となる。さらに、それぞれの整流電流は、加算され、レギュレータ４６で加算された電流によって、所定の電圧が生成され、ＩＣ部４０に電力が供給される。
【００２８】
ここで、ＩＣ部４０に供給される電圧波形について検討する。まず、コイルが一つの場合には、正弦波の負成分を時間軸について正成分側に折り返したものとなるので、合算した電流波形は、山と谷とが繰り返す波形となる。そのため得られる電圧波形も同様に山と谷とが繰り返す波形となる。このような山と谷とが繰り返す電圧波形では、「谷」の箇所で所定電圧Ｖｒを下回るので、ＩＣ部４０を安定して駆動することが困難となる。また、単に２つのコイルを重ねて設けた場合には、上記のように２つのコイルを設け、それぞれの誘導電流を整流し、合算するとしても、一つのコイルの場合と同様に得られる電圧波形は、山と谷とが繰り返す波形となる。本発明者は、この山と谷とが繰り返す２つの整流電流の波形を、位相をずらせて重ね合わせることにより、電流波形を平滑化させることができることに着目した。すなわち、それぞれの誘導電流Ｉ１、Ｉ２の間の位相差τを９０°又は、２７０°として、重ね合わせればよい。一般化すれば、位相差τを（１８０°×ｎ＋９０°）（ｎは整数）とすればよいが、必ずしも９０°又は２７０°に合わせる必要はない。それぞれの誘導電流の位相差を、１８０°あるいはその倍数（１８０°×ｎ）から外すことによって、上述のようにそれぞれの誘導電流の互いの山と谷とを重ね合わせることができる。それぞれのコイル４１、４２で発生する誘導電流Ｉ１、Ｉ２の間の位相差τは、
１８０°×ｎ＋１／６≦τ≦１８０°×ｎ＋５／６
の関係を満たせばよい（３０°〜１５０°の範囲内、又は、２１０°〜３３０°の範囲内）。また、
１８０°×ｎ＋１／４≦τ≦１８０°×ｎ＋３／４
の関係を満たすことが好ましい（４５°〜１３５°の範囲内、又は、２２５°〜３１５°の範囲内）。さらに、
１８０°×ｎ＋１／３≦τ≦１８０°×ｎ＋２／３
の関係を満たすことがさらに好ましい（６０°〜１２０°の範囲内、又は、２４０°〜３００°の範囲内）。なお、コイルを３個用意して、互いに１２０°ずつ位相をずらせてもよい。あるいは４個以上のコイルを用いて、発生する誘導電流の間にそれぞれ位相差を設けるようにしてもよい。
【００２９】
さらに、第１及び第２誘導電流Ｉ１、Ｉ２の位相差τを上記の範囲内とする具体的な構成について検討する。第１及び第２誘導電流Ｉ１、Ｉ２の位相差τは、２つのコイル４１、４２のそれぞれの面積中心の間隔Ｔ（ｍｍ）と、静磁界を形成する磁石６の磁石片のＳ極とＮ極との間隔ｄ（ｍｍ）とによって、
τ＝１８０°×（Ｔ／ｄ）
として決まる。
そこで、位相差τを（１８０°×ｎ＋９０°）（ｎ：整数）とするためには、２つのコイル４１、４２の面積中心の間隔Ｔは、
Ｔ＝（ｎ＋１／２）×ｄ
であることがわかる。この場合、第１整流電流｜Ｉ１｜のボトムと第２整流電流｜Ｉ２｜のピークとが加算されることになり、加算電流が平滑化される。なお、残留リプル分はレギュレータ４６を用いて、電圧Ｖｒ以上の変動をカットするようにすればよい。
【００３０】
また、両コイル４１、４２の面積中心の離間間隔Ｔは、（ｎ＋１／２）×ｄの場合が理想的な間隔であるが、両コイル４１、４２を配置するにあたって、その配置誤差範囲が全く許容されないわけではない。例えば、両コイル４１、４２の面積中心の離間間隔Ｔは、
（ｎ＋１／６）×ｄ≦Ｔ≦（ｎ＋５／６）×ｄ
の範囲内であってもよい。この場合であっても実用上問題のない範囲に残留リプル分を抑制することができる。
さらに、両コイル４１、４２の面積中心の離間間隔Ｔは、
（ｎ＋１／４）×ｄ≦Ｔ≦（ｎ＋３／４）×ｄ
の範囲内であることが好ましい。
またさらに、両コイル４１、４２の面積中心の離間間隔Ｔは、
（ｎ＋１／３）×ｄ≦Ｔ≦（ｎ＋２／３）×ｄ
の範囲内であることがさらに好ましい。
【００３１】
このように、２つのコイル４１、４２を相補的に用いる主な理由は、本発明の本質的な特徴に起因する。すなわち、従来の構成では、電磁界を発生する手段を別途設けることにより、その電磁界の周波数を適当に高くすること（例えば１３．５６ＭＨｚ）ができた。したがって、上記のような構成をとらずとも、ＩＣタグユニット内に小さなコンデンサを付加すれば整流電流を容易に平滑化することができた。ところが、本実施の形態においては、供給電力は光ディスク３の回転に応じた誘導電流により賄われるため、その周波数は先述のように４ｋＨｚと低く、これをＩＣタグユニット４内に配置できる程度のコンデンサだけで平滑化しようとするとリプル分が十分に除去できず、非給電期間にＩＣ部４０の動作を一時停止させざるをえないといったオーバヘッドが発生するおそれがある。そこで、２つのコイル４１、４２の面積中心の間隔Ｔを予め相補的に配置するようにすることにより、大容量のコンデンサを用いなくても、実用上、整流波形を平滑化することができる。
【００３２】
また、光ディスク装置２０において、静磁界を形成する磁石６の磁石片のＳ極とＮ極との間隔ｄ（ｍｍ）について検討する。上述のように、ＩＣタグユニット４の２つのコイル４１、４２に発生させる誘導電流Ｉ１、Ｉ２の位相差τを、上記の範囲とするため、Ｓ極とＮ極との間隔ｄは、ＩＣタグユニット４の両コイル４１、４２の面積中心の離間間隔Ｔ（ｍｍ）と、整数ｎとについて、
Ｔ／（ｎ＋１／６）≦ｄ≦Ｔ／（ｎ＋５／６）
の範囲内であることが好ましい。
さらに、Ｓ極とＮ極との間隔ｄは、
Ｔ／（ｎ＋１／４）≦ｄ≦Ｔ／（ｎ＋３／４）
の範囲内であることがさらに好ましい。
またさらに、Ｓ極とＮ極との間隔ｄは、
Ｔ／（ｎ＋１／３）≦ｄ≦Ｔ／（ｎ＋２／３）
の範囲内であることがより好ましい。
したがって、ＩＣタグユニット４の両コイル４１、４２の面積中心の離間間隔Ｔと、光ディスク装置２０において、静磁界を形成する磁石６の磁石片のＳ極とＮ極との間隔ｄとは、上記関係を満たすように決定することが好ましい。
【００３３】
次に、ＩＣ部４０の動作について説明する。ＩＣ部４０は、電力供給部５０から電力が供給されると動作を開始する（図２、図５）。
（ａ）先ず、コントローラ４７が起動し、メモリ４８に対してアクセスを開始する。
（ｂ）次いで、メモリ４８から識別情報であるＩＤ情報（ＩＤ）を読み出して、送信回路４９に転送する。
（ｃ）送信回路４９は、このＩＤ情報を無線伝送に適した変調信号に変換（例えば、ＰＳＫ：フェーズシフトキーング）し、ＩＤ情報を変換した信号（ＩＤＳ）を何れかのコイル（４１または４２）に供給し、無線伝送する。図２では、第２コイル４２をアンテナとして用いている。
上記の処理は、ＩＣ部４０に所定電圧Ｖｒが印加されている間にわたって実行される。
【００３４】
一方、光ディスク装置２０では、発信され、無線伝送されたＩＤ情報信号（ＩＤＳ）を検知し、受信回路１２に送る。センサアンテナ７は、図１に示すように、磁石６の近傍に設けられている。具体的には、例えば、直径１０ｍｍ程度のループアンテナによって構成される。
【００３５】
なお、ＩＣタグユニット４からの無線伝送に使用される周波数は、１ＭＨｚ以上であることが望ましい。消費電力の観点からは、周波数は低い方が好ましいが、伝送情報速度、センサアンテナ７のサイズ、若しくはコストを考慮した場合、ある程度以上の周波数が必要である。すなわち、伝送周波数として、上記１ＭＨｚを用いる場合、Ｌ＝１０（１ビットあたり１０サイクル）のＰＳＫを用いるとすれば、１ビット伝送するのに１０μｓを要し、１００ビットの情報を伝送するには１ｍｓを要する。つまり、光ディスク３が線速度１０ｍ／ｓで回転しているとして、１００ビットの情報を伝送している期間に、ＩＣタグユニット４は、１ｍｓ×１０ｍ／ｓ＝１０ｍｍだけ移動することになる。そこで、このＩＣ部４０から発せられる電波をもれなく捕捉しようとすれば、直径１０ｍｍ程度あるいはそれ以上のセンサアンテナ７があればよい。なお、センサアンテナ７はなるべく小さい方が好ましく、ここでは直径１０ｍｍ程度が最適な大きさである。
【００３６】
また、このセンサアンテナ７によって受信されたＩＤ情報信号（ＩＤＳ）は、受信回路１２によって復号される。受信回路１２の詳細な構成は、ここでは述べないが、例えば、上記ＰＳＫ信号にキャリア信号（伝送周波数と同じ周波数、本実施の形態では、１ＭＨｚ）を乗算し、その低域成分を濾過する等の通常のＰＳＫ復調手段を備えるものであれば用いることができる。
【００３７】
以上のように、本実施の形態によれば、静磁界に対して光ディスク３を回転させることによって、光ディスク３上に貼付したＩＣタグユニット４内のコイル４１、４２に電磁誘導による誘導電流を発生させ、該誘導電流に基づいてＩＣ部４０に電力を供給できる。そのため、電磁波対策を要することなく、極めてローコストにＩＣタグユニット４を安定して駆動させることができる。
【００３８】
（実施の形態２）
図８は、本発明の実施の形態２に係るデジタルコンテンツ管理システムの構成を示すブロック図である。この光ディスクプレーヤ（光ディスク装置）２０は、図８に示すように、光ヘッド９、光ディスク３に貼付されたＩＣタグユニット４から発信されるＩＤ情報信号ＩＤＳを検知するセンサ（センサアンテナ）７、システムコントローラ２１、セレクタ２３、デスクランブラ２２、デコーダ２４を具備している。また、この光ディスクプレーヤ２０は、インターネット３０に接続され、インターネット３０を介してサーバ６０にアクセス可能な状態に置かれている。サーバ６０は、光ディスク３が真正品であると認証した場合に、デジタルコンテンツの復号に用いる暗号鍵Ｋを発行する。また、コンテンツプロバイダは、暗号鍵Ｋ等を保有し、必要に応じて暗号鍵Ｋをサーバ６０に供給してもよい。なお、ＩＣタグユニット４の構成については、実施の形態１で説明した構成と同様のものを用いることができる。このデジタルコンテンツ管理システムでは、個々の光ディスク３に貼付されたＩＣタグユニット４から無線伝送される識別情報（ＩＤ情報信号ＩＤＳ）を検出し、ＩＤ情報信号を変換した識別情報信号ＩＤＩＮＦをサーバ６０に送出し、サーバ６０から暗号鍵を受け取り、暗号鍵を用いて光ディスク３に記録されたデジタルコンテンツを復号し、再生することができる。
【００３９】
以下、このデジタルコンテンツ管理方法について説明する。図１１は、このデジタルコンテンツ管理方法の概要を示すブロック図である。コンテンツプロバイダから正規に購入された光ディスク３には、予めビデオプログラムが録画（固定）されている。このプログラムは、光ヘッド９によって読み出されて信号（ＰＩＣ）となり、再生処理される。しかし、このビデオプログラムは、通常、暗号化されているので、「鍵」（Ｋ）を用いてデスクランブル（２２）によってリアルタイムに暗号解読しなければビデオプログラムとして再生することはできない。一方、この「鍵」（Ｋ）は、光ディスク３が真正品であると認証された場合にサーバ６０から発行される。そこで、このデジタル管理方法では、光ディスクに貼付されたＩＣタグユニット４から発信されたＩＤ情報信号ＩＤＳをセンサアンテナ７で読みとり、インターネットを介してサーバ６０に送信し、鍵Ｋを受け取り、ビデオプログラムを復号し、再生する。
【００４０】
図１３は、このデジタルコンテンツ管理方法のフローチャートである。
（ａ）光ディスク３に貼付されたＩＣタグユニット４から識別情報（光ディスク識別信号ＩＤＳ）を取得する（Ｓ２１）。なお、ＩＣタグユニット４から識別情報を取得する方法は、実施の形態１に記載の方法を用いることができる。
（ｂ）識別情報を、インターネット３０を介してデジタルコンテンツを管轄するサーバ６０に送る（Ｓ２２）。システムコントローラ２１は、ＩＤ情報信号ＩＤＳをインターネット送信に適したフォーマットに変換して識別情報信号ＩＤＩＮＦとして、インターネットに送信する（図１１）。識別情報信号ＩＤＩＮＦは、例えば、図９に示すように「サーバアドレス情報」「コンテンツ元ＩＤ」「メディアＩＤ」によって構成され、それぞれ所定のビットが割り当てられている。
（ｃ）サーバ６０で識別情報信号ＩＤＩＮＦを解読し、これがＩＣタグユニット４から発せられた情報であると確認することにより光ディスク３が真正品（正規に購入された製品）であると判断された場合に、インターネット３０を介してサーバから送られる暗号鍵Ｋを受け取る（Ｓ２３）。
（ｄ）光ディスク３に記録されたデジタルコンテンツを、暗号鍵Ｋを用いて復号する（Ｓ２４）。光ディスクプレーヤ２０では、デスクランブラ２２において、暗号鍵Ｋを用いて暗号解読処理が実行され、ビデオプログラム信号ＰＩＣが順次デコーダ２４に供給され、映像および音声が再生される。
【００４１】
「サーバアドレス情報」とは、当該ＩＤが付された光ディスク３が装着されたプレーヤ２０からアクセスすべきサーバ６０のアドレスを言う。映画コンテンツ等の場合、コンテンツプロバイダから同一タイトルが世界中に配布されるため、その数が極めて多くなる。そのため、配布先すべてからのアクセスをコンテンツプロバイダに一極集中させて管理するよりも、言語・地域ごとのドメイン単位で管理したほうが効率がよい。例えば、上記コンテンツプロバイダによって、日本向けの光ディスクには情報「００１０１１」を割り付け、韓国向けには情報「００１０１０」を割り付ける、といったように国際コードが割り付けられる。これらのコードが付された光ディスク３が装着されたプレーヤ２０から所定のドメインサーバに対してアクセスを行う。この実施の形態では、「００１０１１」のアドレスを持つサーバ６０が選択される。
【００４２】
「コンテンツ元ＩＤ」とは、そのビデオプログラムを作成したメーカの識別番号である。「メディアＩＤ」とは光ディスク１枚１枚ごとに割り当てられる識別情報である。これらの情報はそれぞれ暗号化されていてもかまわない。そのときの暗号鍵Ｋは、コンテンツプロバイダ若しくは各ドメインのサーバ６０が保有していればよい。
【００４３】
以上のように本実施の形態によれば、光ディスク３に付されたＩＣタグユニット４から発信されるＩＣ識別信号ＩＤＳをインターネット３０経由でドメインサーバ６０に伝送することにより、サーバ６０で光ディスク３を真正品と判断することができ、真正品に対してビデオプログラムの再生の許可を受けることにより、ビデオコンテンツの適切な保護を実現できる。
【００４４】
（実施の形態３）
図１２は、本発明の実施の形態３に係るデジタルコンテンツ管理方法のタイミングチャートである。このデジタルコンテンツ管理方法は、実施の形態２に係るデジタルコンテンツ管理方法と比較すると、さらに、光ディスク３の傷等によってデジタルコンテンツの欠損部分が生じた場合に、その欠損部分を補填する補填情報を、インターネット３０を介してサーバ６０から受け取り、欠損部分を補填する点で相違する。なお、このデジタルコンテンツ管理方法における光ディスクプレーヤ２０、サーバ６０等のシステム構成は、図８に記載のシステムと同様である。
【００４５】
このデジタルコンテンツ管理方法は、従来に無いサービスを提供することができる。前述のように、光ディスク３に付されたＩＣタグユニット４から発せられるＩＣ識別信号ＩＤＳからサーバ６０は、光ディスク３を真正品と判断することができる。したがって、ネットワーク、例えば、インターネット３０に接続されている認証可能な光ディスク３のすべてに対して個別のサービスを行うことが可能である。例えば、光ディスク３は、通常、カートリッジレス（いわゆる”ベア（裸）”）で使用されることが多く、人体や他の家具との接触によって表面に傷が付きやすい。傷が大きいと誤り訂正しきれずに再生エラーが発生する。光ディスクの進化を鑑みるに、ＣＤ、ＤＶＤ、ＢＤ、と大容量化、高画質化するにつれ、透明保護層の厚みが１．２ｍｍ、０．６ｍｍ、０．１ｍｍと減少する傾向にあり、傷の影響をより受け易くなってきている。そのため、高画質な光ディスクほど傷つきやすく、欠損エラーが出やすい。そこで、例えば、ＩＣ識別信号ＩＤＳをサーバ６０に送ると共に、傷が付いた光ディスク３に記録されたデジタルコンテンツの欠損部分のアドレス情報を送ることにより、欠損部分を補填する情報をプロバイダ又はサーバ６０から受け取り、デジタルコンテンツの欠損部分を補填情報によって補填することができる。
【００４６】
図１４は、このデジタルコンテンツ管理方法のフローチャートである。
（ａ）光ディスク３に貼付されたＩＣタグユニット４から識別情報（光ディスク識別信号ＩＤＳ）を取得する（Ｓ３１）。
（ｂ）識別情報（光ディスク識別信号ＩＤＳ）を、識別情報信号ＩＤＩＮＦに変換して、インターネット３０を介してデジタルコンテンツを管理するサーバに送る（Ｓ３２）。なお、サーバ６０で光ディスク３が真正品であると認証した場合には、サーバから送られる鍵Ｋを光ディスクプレーヤ２０が受け取るようにしてもよい。
（ｃ）次に、光ディスク３に記録されたデジタルコンテンツ（例えば、ビデオプログラム等）の欠損部分に関するアドレス情報を検出する（Ｓ３３）。具体的には、ビデオプログラム再生中に傷（図８中の光ディスク３における「×」マーク）を検出した場合、その先頭のアドレスと、実際に再生不能なデータの長さを特定し、図１０に示されるように、ディフェクトリストＤＬに登録する。
（ｄ）デジタルコンテンツの欠損部分に関するアドレス情報（ディフェクトリストＤＬ）を、インターネット３０を介してサーバ６０に送る（Ｓ３４）。なお、このアドレス情報を上記識別情報と共にサーバ６０に送ってもよい。
（ｅ）サーバ６０において識別情報により光ディスク３が真正品であると判断された場合に、サーバ６０から送られる欠損部分を補填する補填情報信号ＳＰＩＣを受け取る（Ｓ３５）。この補填情報信号ＳＰＩＣは、予めコンテンツプロバイダから送付され、サーバ６０内に格納された全プログラム情報から、図１０に示されるように、必要な箇所だけ抽出されて生成される。また、この補填情報信号ＳＰＩＣは、ディフェクトリストＤＬによって特定される欠損部のアドレスと必要な長さの補充データとで構成される。
（ｆ）光ディスク３に記録されたデジタルコンテンツの欠損部分を補填情報信号ＳＰＩＣによって補填する（Ｓ３６）。光ディスクプレーヤ２０では、リアルタイムで更新されるアドレス情報に応じて、セレクタ２３によって、光ディスク３から再生されるビデオプログラム信号ＰＩＣと補填情報信号ＳＰＩＣとを切り替えて後段のデスクランブラ２２に送り、デコーダ２４によって情報を再生する。
【００４７】
以上のように、本実施の形態によれば、光ディスク識別信号ＩＤＳによって光ディスクが真正品であるか否かを判断することによって、ビデオコンテンツの保護を図ることができることに加えて、さらに、光ディスク３の欠陥に応じたデジタルコンテンツの欠損部分を補填するデータ補充サービスを提供することができる。
【００４８】
なお、本実施の形態では、ディフェクトの検出およびディフェクトリストＤＬの生成とサーバ６０からの補填情報の取得とをリアルタイムで実行する場合について示したが、上記の場合に限られるものではない。例えば、一連のディフェクトの補填処理の中に一定のバッファリング処理を介在させてもよい。また、光ディスク３から高速再生したビデオコンテンツの信号ＰＩＣを光ディスクプレーヤ２０に設けられたハードディスクドライブ等の記録媒体に蓄えておき、ディフェクト部分については補填情報信号ＳＰＩＣによってパッチを当てるようにしてもよい。
【００４９】
また、光ディスク３からビデオプログラムを再生する前に予め補填情報信号ＳＰＩＣを取得しておいて、これを当該ハードディスクの所定のアドレスに書き込むようにしてもよい（図１１）。例えば、ＩＤ情報信号ＩＤＳに一義的に対応したアドレスを生成するテーブルをハードディスク上に設け、そのアドレスを持つデータ領域に補填情報信号ＳＰＩＣを記録しておく。このようにすれば、一度サーバ６０から補填情報信号ＳＰＩＣを入手すれば、その後は光ディスク３からビデオプログラムを再生するたびにサーバ６０にアクセスすることなく、ハードディスクに保持された補填情報信号ＳＰＩＣにアクセスすればよい。このような構成の場合には、最初にサーバ６０にアクセスする際は、必ずしも光ディスク３からビデオプログラムを再生している状態、すなわち、光ディスク３の全トラックを走査している状態である必要はない。例えば、メディアサーティファイ等の処理によって、短時間にディフェクトリストＤＬを作成し、これをサーバ６０に送付することで、予め補填情報信号ＳＰＩＣをハードディスクに蓄積することができる。ここで、「メディアサーティファイ」とは、複数本のトラックおきにトラックを高速走査しながら、アドレス以外の情報を再生せずにディフェクト検出のみを行う機能である。
【００５０】
なお、本実施の形態においては、光ディスク３を真正品と識別するために必ずしもＩＣタグユニットを用いる必要はない。例えば、改竄不能に形成されたバーコードや磁気テープを光ディスク上に形成して、そこに識別情報を書き込んでおいてもよい。
【産業上の利用可能性】
【００５１】
本発明に係るＩＣタグユニット、ＩＣタグユニットを有する商品の識別装置、光ディスク装置、及びデジタルコンテンツ管理方法は、個々の光ディスクをインターネット上で安価に管理することを可能とし、質の高いビデオコンテンツを安全にユーザに供給することができる。また、これからのビデオ配信ビジネスにおいて高い有用性を発揮することが期待できる。さらに、コンピュータ用のプログラム著作物の配布等にも応用できる。
【図面の簡単な説明】
【００５２】
【図１】本発明の実施の形態１に係る光ディスク装置の構成を示す概略斜視図である。
【図２】本発明の実施の形態１に係るＩＣタグユニットの構成と、ＩＣタグユニットの電力供給部と光ディスク装置の磁石との位置関係とを示すブロック図である。
【図３】本発明の実施の形態１に係るＩＣタグユニットの２つのコイルと静磁界を形成する磁石の位置関係を示す概略図である。
【図４】本発明の実施の形態１に係るＩＣタグユニットの電力供給部分の回路図である。
【図５】本発明の実施の形態１におけるＩＣタグユニットの動作を説明するタイミングチャートである。
【図６】本発明の実施の形態１に係る商品（光ディスク）の識別方法のフローチャートである。
【図７】本発明の実施の形態１に係る別例の商品（光ディスク）の識別方法のフローチャートである。
【図８】本発明の実施の形態２及び３におけるデジタルコンテンツ管理システムの構成を示すブロック図である。
【図９】本発明の実施の形態２に係るデジタルコンテンツ管理方法における識別情報ＩＤＩＮＦの一例を示す概略図である。
【図１０】本発明の実施の形態３に係るデジタルコンテンツ管理方法における欠損および補填情報に関する説明図
【図１１】本発明の実施の形態２におけるサーバシステムの動作を説明する概略図である。
【図１２】本発明の実施の形態３に係るデジタルコンテンツ管理方法のタイミングチャートである。
【図１３】本発明の実施の形態２に係るデジタルコンテンツ管理方法のフローチャートである。
【図１４】本発明の実施の形態３に係るデジタルコンテンツ管理方法のフローチャートである。
【符号の説明】
【００５３】
１  基板、２  スピンドルモータ、３  光ディスク、４  ＩＣタグユニット、５  天板、６  固定磁石、７  センサアンテナ、８  支持部材、９  光ヘッド、１１  クランパ、１２  受信回路、２０  光ディスクプレーヤ、２１  システムコントローラ、２２  デスクランブラ、２３  セレクタ、２４  デコーダ、３０  インターネット、４０  ＩＣ部、４１、４２  コイル、４３，４４  整流器、４６  レギュレータ、４７  コントローラ、４８  メモリ、４９  送信回路、５０  電力供給部、６０  サーバ
【図１】
2005327440.tif 000003
【図２】
2005327440.tif 000004
【図３】
2005327440.tif 000005
【図４】
2005327440.tif 000006
【図５】
2005327440.tif 000007
【図６】
2005327440.tif 000008
【図７】
2005327440.tif 000009
【図８】
2005327440.tif 000010
【図９】
2005327440.tif 000011
【図１０】
2005327440.tif 000012
【図１１】
2005327440.tif 000013
【図１２】
2005327440.tif 000014
【図１３】
2005327440.tif 000015
【図１４】
2005327440.tif 000016